(57)【特許請求の範囲】
【請求項１】
夜間１６の熱放射を阻害している比較的低い雲１２よりも高く数１００ｍ以上の高さで略垂直にパイプ１３を設置し、このパイプ１３の上下端部を密閉し、内部に気化しやすい液体２１を封入してヒートパイプ１３を構成し、このヒートパイプ１３の下端部で地表の熱を吸収して内部の液体２１を気化し、この気化した気体２２をヒートパイプ１３の上端部まで上昇させて上空で熱放射して再び液体２１にしてヒートパイプ１３の下端部へ循環させることにより、地表の熱を上空へ放射するようにしたことを特徴とする地球の温暖化防止方法。
【請求項２】
ヒートパイプ１３は、内部のバルブ１４を昼間１５に閉じ、夜間１６に開くようにしたことを特徴とする請求項１記載の地球の温暖化防止方法。
【請求項３】
ヒートパイプ１３は、液体２１を下方部で気化して上昇させる気化用パイプ１８と、上方部で再び液化した液体２１を下方部へ戻す液戻しパイプ１９とからなることを特徴とする請求項１または２記載の地球の温暖化防止方法。
【発明の詳細な説明】
【０００１】
【発明の属する技術分野】
本発明は、地球上の吸熱と放熱のエネルギーのバランスをとり、地球の温暖化を防止するための地球の温暖化防止方法に関するものである。
【０００２】
【従来の技術】
古来からの地球１０上の熱エネルギーは、昼間１５に太陽１１から日射によるエネルギーを得て、夜間１６に放射する他に、精々木材を燃焼させる程度であった。
【０００３】
ところが、近代の社会では、文明化、機械化などに伴い、石油、ガス、ウランなどの地球内部の化石、鉱石などからのエネルギーを取り出して使用するようになり、地球の温暖化による弊害が叫ばれるようになってきた。
【０００４】
【発明が解決しようとする課題】
しかし、このような地球上の熱エネルギーの吸熱と放熱のアンバランスを解消するため、これまでは無駄なエネルギーを使用しないようにするという消極的な方法だけであり、積極的にバランスさせようとすることはなされていなかった。
【０００５】
本発明は、地球上の熱エネルギーを積極的にバランスさせ、地球上の温暖化を防止する方法を提供することを目的とするものである。
【０００６】
【課題を解決するための手段】
本発明は、夜間１６の熱放射を阻害している比較的低い雲１２よりも高く数１００ｍ以上の高さで略垂直にパイプ１３を設置し、このパイプ１３の上下端部を密閉し、内部に気化しやすい液体２１を封入してヒートパイプ１３を構成し、このヒートパイプ１３の下端部で地表の熱を吸収して内部の液体２１を気化し、この気化した気体２２をヒートパイプ１３の上端部まで上昇させて上空で熱放射して再び液体２１にしてヒートパイプ１３の下端部へ循環させることにより、地表の熱を上空へ放射するようにしたことを特徴とする地球の温暖化防止方法である。
【０００８】
【発明の実施の形態】
本発明の実施の形態を図１に基づき説明する。
地球１０上では、昼間１５に、太陽１１からの日射エネルギー、工場、冷暖房装置、自動車などからの熱エネルギーが地表や大気中に蓄積され、夜間１６になると、これを放射する。
【０００９】
しかるに、前述のように、石油、ガス、ウランなどの地球内部の化石、鉱石などからのこれまでになかったエネルギーを取り出して使用するようになり、地球の温暖化による弊害が叫ばれるようになってきた。
このような地球上の吸熱と放熱の熱エネルギーのアンバランスを解消するために、本発明では、地球上の熱エネルギーを宇宙に放射して積極的にバランスさせ、地球上の温暖化を防止しようとするものである。
【００１０】
本発明の第１実施例は、図１に示すように、夜間１６の熱放射を阻害している比較的低い雲１２よりも高くパイプ１３を略垂直に設置し、このパイプ１３内に下方部から上方部への風の流れを作り、これにより地球上の熱エネルギーを宇宙に放射して積極的にバランスさせようとするものである。
すなわち、数１００ｍまたはそれ以上の高さのパイプ１３を略垂直に建立し、内部には、開閉自在にバルブ１４を設ける。また、このパイプ１３の下端部は、地表面に開放するか、数ｍから数１０ｍの位置に空気取り入れ口を形成し、また、パイプ１３の上端部は大気に開放する。
【００１１】
このような構成において、昼間１５には、バルブ１４を閉じておき、夜間１６になったらバルブ１４を開く。
大気中に雲１２がある場合は、雲１２は、赤外線に対して完全な黒体と考えられるから、雲１２から地表へ向けての放射エネルギー量が大きくなり、夜間放射量が著しく減少する。ところが、パイプ１３があることにより、つぎの理由により地表のエネルギーが宇宙へ逃がされる。
【００１２】
（１）パイプ１３は、十分な高さを有するので、下端部と上端部では、気圧差が生じ、地表の空気が渦流となって上昇し、その時、地表の熱が上空へ放射される。
（２）パイプ１３として断熱性を有する材料を用いると、パイプ１３内の空気が外気より温度が高く、密度が低いので、浮力を生じパイプ１３の上方では外に向かう圧力が生じ、下方では内に向かう圧力が生じる。このような煙突効果により、地表の空気がパイプ１３内を上昇し、その時、地表の熱が上空へ放射される。
（３）パイプ１３の部分では、大気中に雲１２がないので、雲１２から地表へ向けての放射エネルギー量がなくなり、夜間放射量が増大する。もちろん、雲の切れ間１７では、パイプ１３がなくても夜間放射が行われる。
【００１３】
パイプ１３の設置場所は、パイプ１３の下方部での空気の取り入れ口における空気の流れによる風や温度低下による弊害がある場合には、無人島や海上などに設置し、また、逆に風や温度低下を必要とするときには、そのようなところに設置すればよい。
【００１４】
本発明の第２実施例を図２により説明する。
この第２実施例では、前記同様、夜間１６の熱放射を阻害している比較的低い雲１２よりも高くパイプ１３を設置するが、前記第１実施例と異なるところは、パイプ１３の上下端部を密閉し、内部に気化しやすい液体２１を封入してヒートパイプ１３を構成していることである。このヒートパイプ１３の下端部で地表の熱を吸収して内部の液体２１を気化し、この気化した気体２２をヒートパイプ１３の上端部まで上昇させて上空で熱放射して再び液体２１にしてヒートパイプ１３の下端部へ循環させることにより、地表の熱を上空へ放射して地球の温暖化を防止している。前記液体２１としては、アルコール、アンモニア、フロンなどの地表の熱で容易に気化する物質のものが用いられる。
【００１５】
さらに具体的には、ヒートパイプ１３は、数１００ｍ以上の高さで略垂直に建立する。このヒートパイプ１３は、液体２１を下方部で気化して上昇させる気化用パイプ１８と、上方部で再び液化した液体２１を下方部へ戻す液戻しパイプ１９とを２重管構造で構成する。
このとき、図２（ａ）の例では、気化用パイプ１８を内部に、液戻しパイプ１９を外部にし、上方部には、気体２２が接触して滴２３が付着し、再び液体２１となったときに、気化用パイプ１８から液戻しパイプ１９へ導くための複数の接触板２４を傾斜して設けておく。
【００１６】
また、図２（ｂ）の例では、液戻しパイプ１９を内部に、気化用パイプ１８を外部にし、上方部には、前記同様、複数の接触板２４を傾斜して設けておく。
前記図２（ａ）（ｂ）において、気化用パイプ１８の内部に、昼間１５に閉じ、夜間１６に開くバルブ１４が設けられる。また、必要に応じて、ヒートパイプ１３の下方部には、効率よく吸熱するための吸熱フィン２０が設けられる。ヒートパイプ１３の上方部にも同様の放熱フィンを設けてもよい。
【００１７】
以上のような構成において、昼間１５では、バルブ１４を閉じておくことにより、ヒートパイプ１３としての作用を停止しておく。
夜間１６になり、バルブ１４を開くと、ヒートパイプ１３の下端部の吸熱フィン２０にて地表の熱を吸収してヒートパイプ１３内部の液体２１を気化する。この気化した気体２２は、気化用パイプ１８を通りヒートパイプ１３の上端部まで上昇する。ヒートパイプ１３の上方部の上空部分では、熱放射して気体２２は再び液体２１となり、その滴２３が接触板２４に付着して液戻しパイプ１９へ導かれる。液体２１は、液戻しパイプ１９の内壁を伝わってヒートパイプ１３の下方まで落下して再び加熱されて気化され気体２２となる。このような動作が循環することにより、地表の熱を上空へ放射して地球の温暖化が防止される。
【００１８】
図２（ａ）（ｂ）では、ヒートパイプ１３を気化用パイプ１８と液戻しパイプ１９の２重構造としたが、これに限られるものではなく、１本の単なるパイプであってもよい。
【００１９】
【発明の効果】
本発明は、熱放射を阻害している比較的低い雲１２よりも高いヒートパイプ１３を設置し、このヒートパイプ１３の下端部に空気取り入れ口を形成し、ヒートパイプ１３の上端部を大気に開放することにより、地表の空気がヒートパイプ１３内を上昇し、地表の熱が上空へ放射されるようにしたので、以下の効果を有する。
【００２０】
（１）パイプ１３は、十分な高さを有するので、下端部と上端部では、気圧差が生じ、地表の空気が渦流となって上昇し、その時、地表の熱が上空へ放射される。
（２）パイプ１３が断熱性を有する材料を用いると、ヒートパイプ１３内の空気が外気より温度が高く、密度が低いので、浮力を生じヒートパイプ１３の上方では外に向かう圧力を生じ、下方では内に向かう圧力が生じる。このような煙突効果により、地表の空気がヒートパイプ１３内を上昇し、その時、地表の熱が上空へ放射される。
（３）パイプ１３の上下端部を密閉し、内部に気化しやすい液体２１を封入してヒートパイプ１３を構成することにより、このヒートパイプ１３の下端部で地表の熱を吸収して内部の液体２１を気化し、この気化した気体２２をヒートパイプ１３の上端部まで上昇させて上空で熱放射して再び液体２１にしてヒートパイプ１３の下端部へ循環させ、きわめて効率的に地表の熱を上空へ放射することができる。
【００２１】
したがって、地球上の熱エネルギーの吸熱と放熱のアンバランスを、積極的にバランスさせることができる。
【図面の簡単な説明】
【図１】本発明による地球の温暖化防止方法の第１実施例を説明する説明図である。
【図２】本発明による地球の温暖化防止方法の第２実施例を説明するためのもので、（ａ）は、気化用パイプ１８を内側にし、液戻しパイプ１９を外側にした断面図（ｂ）は、気化用パイプ１８を外側にし、液戻しパイプ１９を内側にした断面図である。
【符号の説明】
１０…地球、１１…太陽、１２…雲、１３…パイプまたはヒートパイプ、１４…バルブ、１５…昼間、１６…夜間、１７…雲の切れ間、１８…気化用パイプ、１９…液戻しパイプ、２０…吸熱フィン、２１…液体、２２…気体、２３…滴、２４…接触板。
【図１】
0003742868.tif 000002
【図２】
0003742868.tif 000003